(57)【特許請求の範囲】
【請求項１】
表面に付箋紙シート一枚毎の印刷図柄を複数並列した状態に印刷するとともに、裏面の一端部領域に再剥離型粘着層を連続に配置している複数の印刷ロール紙を、所定の枚数分整合した上、フォーム用コレーターに配置して繰り出し、丁合をとってカッター部まで移送し、再剥離型粘着層を介して印刷ロール紙枚数分の付箋シートが積層されてなる個々の付箋紙組にカッティングして、集積部に順次積層することで、印刷ロール紙枚数分の付箋紙シートからなる個々の付箋紙組が再剥離型粘着層を介して所定数積層されてなる製本単位の付箋紙組が、複数積層された状態とする工程からなり、
製本単位の付箋紙組における最上部に位置する付箋紙シートの表面の、次の製本単位の付箋紙組における最下部に位置する付箋紙シートの裏面の再剥離型粘着層が積層される予定部には、印刷ロール紙の表面に印刷図柄を印刷する際に剥離層を印刷してある、
ことを特徴とする製本単位の付箋紙組の製造方法。
【発明の詳細な説明】
【０００１】
【発明の属する技術分野】
本発明は日めくりカレンダー・週間予定表・月間予定表などの異なる印刷図柄を施した付箋紙シートを積層してなる付箋紙組の製造方法に関するものである。
【０００２】
【従来の技術】
従来、再剥離型粘着層を介して積層してなる付箋紙が提案されている。これらの利用法としては、付箋紙にメモ書きをして机・書類等に貼っておいたり、書類・書籍等のページ間に貼って、見出しインデックスとして利用することが挙げられる。
【０００３】
【発明が解決しようとする課題】
しかしながら付箋紙の表面は同一の印刷図柄が施された付箋紙シート、もしくは印刷図柄が施されていない付箋紙シートをただ単に積層しただけであるがため、上記のようにメモ書きや見出しインデックスとしての利用用途しかなかった。
【０００４】
ほかにバインディング用の孔を事前に開けたスケジュール表はシステム手帳用として市販されてはいるが、予定表として机上に貼り付けるには別途粘着テープが必要であった。
【０００５】
また、従来の付箋紙組はシート裏面の一端部領域にあらかじめ再剥離型粘着層を設けた巻取原紙を用いて、前記再剥離型粘着層領域が付箋紙組の一端部領域になるように印刷、カッティングして、同一形状の付箋紙シートを順次上から積層して製造される。このような場合、定数枚の付箋紙組単位にするためには前記付箋紙組の最上部と次付箋紙組の最下部の間に合紙入れなどの作業が必要となり、枚数管理が煩雑になるという問題点があった。
【０００６】
本発明はこれらを鑑み、付箋紙組を製造する上で合紙入れなどの作業が要らない付箋紙組の製造方法を提供することが目的である。
【０００７】
【課題を解決するための手段】
この目的を達成するために本発明の付箋紙組の製造方法は、表面に付箋紙シート一枚毎の印刷図柄を複数並列した状態に印刷するとともに、裏面の一端部領域に再剥離型粘着層を連続に配置している複数の印刷ロール紙を、所定の枚数分整合した上、フォーム用コレーターに配置して繰り出し、丁合をとってカッター部まで移送し、再剥離型粘着層を介して印刷ロール紙枚数分の付箋シートが積層されてなる個々の付箋紙組にカッティングして、集積部に順次積層することで、印刷ロール紙枚数分の付箋紙シートからなる個々の付箋紙組が再剥離型粘着層を介して所定数積層されてなる製本単位の付箋紙組が、複数積層された状態とする工程からなり、製本単位の付箋紙組における最上部に位置する付箋紙シートの表面の、次の製本単位の付箋紙組における最下部に位置する付箋紙シートの裏面の再剥離型粘着層が積層される予定部には、印刷ロール紙の表面に印刷図柄を印刷する際に剥離層を印刷してある、ことを特徴とするものである。
【０００８】
【発明の実施の形態】
以下、本発明の付箋紙組を作製するための好適な実施例を添付図面に基づいて詳細に説明する。ここにおいて図１は本発明で得られる製本した付箋紙組１の斜視図である。付箋紙組１は付箋紙シート２ａ、２ｂの表面に各々異なる印刷図柄３ａ、３ｂを設けたものである。また、２ｂの下に積層されている複数枚の付箋紙シートも同様に各々異なる印刷図柄を設けている。なお、これら付箋紙シートは再剥離型粘着層４を介して積層されている。さらに、付箋紙組１の最上面である付箋紙シート２ａの表面には裏面の再剥離型粘着層４と相対する位置に、剥離層５を設けてある。また、図２は図１におけるＡ−Ａ線拡大断面図である。
【０００９】
次に、本発明の製造方法について１週間単位で構成される年間予定表を実施例として説明する。製造工程は大きく分けて印刷工程と付箋紙組１を製本する工程に分かれ、印刷機はビジネスフォーム用のオフセット輪転式印刷機、製本はフォーム用コレーターを用いるものとする。本実施例によれば、１年間を５４週とし、１週間単位で年間の１週目、２週目・・・５４週目と表現することにする。つぎに版の割付であるが、この場合図３のようにＡ版１０に９週間分の週間予定を１週目、７週目、１３週目・・・・と配置させる。
【表１】
0004167410.tif 000002
ここで１週間単位の予定表が６週間サイクルで面付けされるのは、製本工程において６種類の版で構成された図４、図５に示す印刷ロール紙６種類で丁合するためである。詳細は製本工程で説明する。表１に示すようにＢ版には２週目、８週目、１４週目・・・と配置し、ほかＣ・Ｄ・Ｅ・Ｆ版にも面付けを行い、合計６種類の版を作製する。この場合巻取原紙の進行方向に９週間分の週間予定を配置させるため、例えば１週間分を３インチ程度で設計すれば、版のシリンダサイズは２７インチのものを選択すればよい。上述で作製した版はオフセット輪転式印刷機に固定し、巻取原紙の前記再剥離型粘着層４を配置していない面に各版単位で巻取原紙を交換して印刷を行う。ここで、Ａ版１０で印刷するときのみ製本した際に最上面になる１週目の部分に前記剥離層５を印刷しておく。
【００１０】
また、再剥離型粘着層を設けたシート下面に印刷しても構わない。インキは酸化重合型インキ・ＵＶインキどちらを選択しても良い。なお、前述のように通常ビジネスフォーム用のオフセット輪転式印刷機で印刷を施される以外にグラビア印刷・シルク印刷・レーザープリンタ印刷・インクジェットプリンタ印刷など適宜の印刷手段を用いても構わない。次工程のフォーム用コレーターで製本するために印刷時には一般的にコンピュータ用プリンタで使用されるマージナル孔と呼ばれる移送孔を１／２インチごとに所定の位置に加工することが望ましい。
【００１１】
さらにコンピュータ用プリンタで使用されるマージナル孔は一般的に原紙の両端に配置させるものであるが、本実施例の場合は製本時の中間過程で一時的に移送孔として配置するものであるため、片側のみ配置させ、製本することも可能である。印刷後の用紙は、再度リワインダーにてロール状に巻き取ればよい。
【００１２】
次に付箋紙組１の製本方法について説明する。図４のごとく、前述で作製した各種類の印刷ロール紙の版面を整合した上、フォーム用コレーターに配置する。配置した各種類の印刷ロール紙を繰り出し、前述の印刷工程で加工したマージナル孔３１を基準に、図５に示している通りＢ−Ｂ線で揃うように丁合をとり、フォーム用コレーターに設置されているトラクタピンにマージナル孔３１を係合し、カッター部２７まで移送させればよい。なお、マージナル孔３１は６種類の印刷ロール紙全てに設けられていることはいうまでもない。なお、剥離層３２は前述の印刷工程で設けたものである。
【００１３】
本実施例においては前記丁合をとった各種類の印刷ロール紙につき、一端部領域の再剥離型粘着層４を介して付箋紙シートが積層した印刷ロール紙種類数分の付箋紙組個々となるように３インチでカッティングし、図６のように順次上から集積部２８に積層させる。カッティングの手段としてはギロチン式・ロータリー式など適宜選択することが可能である。また丁合時に整合したマージナル孔部はカッター部前で紙の流れ方向に帯状にスリットしてもよい。
【００１４】
印刷ロール紙種類数分の付箋紙組個々はカッティングと同時に順次上から集積部２８に積層されていくため、印刷ロール紙種類数分の付箋紙組の最上部と次の印刷ロール紙種類数分の付箋紙組の最下部は必然的に再剥離型粘着層を介して接合され印刷ロール紙種類数分の付箋紙組が図６に示す所定数ずつ製本されて図１の製本した付箋紙組１となる。付箋紙組１の最上部に位置する用紙の次の付箋紙組１の再剥離型粘着層が積層される予定部には図６に示すように前述のシリコンなどを含有した剥離ニスなどの剥離層４１を印刷しているので、製本された付箋紙組１は合紙を入れることなく容易に分離することができる。
【００１５】
以上のように製本する１つの付箋紙組１は構成枚数に合わせて、適宜設計すればよいため、煩雑な枚数管理も行うことなく、付箋紙シート表面に各々異なる印刷図柄を施したことを特徴とする付箋紙組１を提供することが可能となる。
【００１６】
【発明の効果】
以上説明したように、全ての付箋紙シート裏面の一端部領域に再剥離型粘着層を設け、複数枚の当該付箋紙シートが前記再剥離粘着層を介して積層し製本してなる付箋紙組において、その付箋紙組の少なくとも付箋紙シート表面に各々異なる印刷図柄を施したことを特徴とする付箋紙組を提供することによって、従来はただ単にメモ書きや見出しインデックスとして利用されていた付箋紙を日めくりカレンダー・週間予定表・月間予定表などに応用することによって、日付などを記入する手間が省け、より機能的に他人へ伝達することを可能にする。また製造過程において前記付箋紙組の最上部付箋紙シートの再剥離粘着層の密着予定面に粘着力を低減させる剥離層を設けることにより、煩雑な枚数管理や付箋紙組単位で合紙を入れることなく、容易に付箋紙を分離・枚数管理することが可能となる。
【図面の簡単な説明】
【図１】本発明の月間カレンダーの斜視図である。
【図２】図１のＡ−Ａ線拡大断面図である。
【図３】本発明の実施例である週間カレンダーの印刷版割付を示した図である。
【図４】本発明の実施例である週間カレンダーのフォーム用コレーターでの印刷ロール配置を示した図である。
【図５】本発明の実施例である週間カレンダーの印刷ロールの版面を整合した形での丁合を示した図である。
【図６】本発明の実施例である週間カレンダーの集積部での付箋紙組の積層状態を示した図である。
【符号の説明】
１ 付箋紙組
２ａ、２ｂ 付箋紙シート
３ａ、３ｂ 印刷図柄
４ 再剥離型粘着層
５，３２，４１ 剥離層
１０ Ａ版
２１ Ａ版印刷ロール
２２ Ｂ版印刷ロール
２３ Ｃ版印刷ロール
２４ Ｄ版印刷ロール
２５ Ｅ版印刷ロール
２６ Ｆ版印刷ロール
２７ カッター部
２８ 集積部
３１ マージナル孔
【図１】
0004167410.tif 000003
【図２】
0004167410.tif 000004
【図３】
0004167410.tif 000005
【図４】
0004167410.tif 000006
【図５】
0004167410.tif 000007
【図６】
0004167410.tif 000008